(57)【要約】  【課題】  マクロ登録の際の不要なメッセージの表示を防止してユーザの利便性を向上させることができる電気機器を提供する。  【解決手段】  ＦＡＸ送信モードで、特定キー３４に対してマクロ登録する場合、スタートキー３０が操作された後、原稿センサ１９が、原稿がセットされていないことを検出したとき、マクロ登録時は原稿の読み取りを実行しないため、表示部１５は、原稿がセットされていないことを報知するエラーメッセージを表示しない。そして、スタートキー３０及びスタートキー３０が操作されるまでに操作された各種キー３１，３１，…，３２，３２，…の操作順を登録する。【選択図】      図１
2007060048.tif 000002
【特許請求の範囲】
【請求項１】
複数の操作キーと、
複数のメッセージ夫々を表示する表示手段と
を備え、
特定の操作キーに対応して、複数の操作キーの操作順を登録する電気機器において、
前記操作順の登録操作の実行中である場合、前記表示手段は所定のメッセージを表示しないようにしてあることを特徴とする電気機器。
【請求項２】
原稿を読み取る読取手段と、
該読取手段が読み取るべき原稿の有無を検出する検出手段と
を備え、
前記検出手段が、原稿がないことを検出した場合、
前記操作順の登録操作の実行中ではないとき、前記表示手段は原稿がないことを報知するメッセージを表示するようにしてあり、
前記操作順の登録操作の実行中であるとき、前記表示手段は前記メッセージを表示しないようにしてあることを特徴とする請求項１に記載の電気機器。
【請求項３】
原稿を読み取ってなる画像情報を送信する送信手段及び／又は原稿を読み取ってなる画像情報に基づく画像を記録媒体に形成する形成手段を備えることを特徴とする請求項１又は２に記載の電気機器。
【発明の詳細な説明】
【技術分野】
【０００１】
本発明は、特定の操作キーに対応して、複数の操作キーの操作順を登録する機能を有する電気機器に関する。
【背景技術】
【０００２】
従来、特定の操作キー（以下、特定キーという）に対応して、複数の操作キーの操作順を予め登録（マクロ登録）しておき、特定キーが操作された場合に、登録された複数の操作キーの操作順に作動する画像読取装置が開示されている（特許文献１参照）。
【０００３】
画像読取装置は原稿が装置にセットされているか否かを検出し、原稿の読取に対応する操作キー（例えばスキャナ、コピー機等のスタートキー）が操作された場合、原稿がセットされていないことを検出したとき、原稿がセットされていないことをユーザに報知するエラーメッセージを表示する。ユーザは原稿をセットして、画像読取装置に、画像の読み取りを実行させる。
【特許文献１】特開２０００−３４１４４５号公報
【発明の開示】
【発明が解決しようとする課題】
【０００４】
特許文献１に開示されているような画像読取装置は、マクロ登録を行なう場合にも、原稿が装置にセットされているか否かを検出し、原稿がセットされていないことを検出したときは、原稿がセットされていないことをユーザに報知するエラーメッセージを表示する。しかしながら、マクロ登録時には原稿の読み取りを行なわないため、前記エラーメッセージはユーザにとって不要であった。また、前記エラーメッセージを読んだユーザが、操作に戸惑い、又は、誤って原稿を準備することもあった。
【０００５】
本発明は斯かる事情に鑑みてなされたものであり、特定の操作キーに対応して複数の操作キーの操作順を登録する場合、所定のメッセージを表示しない構成とすることにより、不要なメッセージの表示を防止してユーザの利便性を向上させることができる電気機器を提供することを目的とする。
【０００６】
本発明の他の目的は、特定の操作キーに対応して複数の操作キーの操作順を登録する場合、原稿がないことを報知するメッセージを表示しない構成とすることにより、原稿の読取操作に関する不要なエラーメッセージの表示を防止してユーザの利便性を向上させることができる電気機器を提供することにある。
【０００７】
本発明の更に他の目的は、原稿を読み取ってなる画像情報を送信するか、記録媒体に画像を形成する構成とすることにより、ファクシミリ、スキャナ、コピー機等として構成することができる電気機器を提供することにある。
【課題を解決するための手段】
【０００８】
第１発明に係る電気機器は、複数の操作キーと、複数のメッセージ夫々を表示する表示手段とを備え、特定の操作キーに対応して、複数の操作キーの操作順を登録する電気機器において、前記操作順の登録操作の実行中である場合、前記表示手段は所定のメッセージを表示しないようにしてあることを特徴とする。
【０００９】
第２発明に係る電気機器は、原稿を読み取る読取手段と、該読取手段が読み取るべき原稿の有無を検出する検出手段とを備え、前記検出手段が、原稿がないことを検出した場合、前記操作順の登録操作の実行中ではないとき、前記表示手段は原稿がないことを報知するメッセージを表示するようにしてあり、前記操作順の登録操作の実行中であるとき、前記表示手段は前記メッセージを表示しないようにしてあることを特徴とする。
【００１０】
第３発明に係る電気機器は、原稿を読み取ってなる画像情報を送信する送信手段及び／又は原稿を読み取ってなる画像情報に基づく画像を記録媒体に形成する形成手段を備えることを特徴とする。
【００１１】
第１発明にあっては、特定の操作キーに対応して、複数の操作キーの操作順を登録（マクロ登録）する場合、表示手段は所定のメッセージを表示しない。例えば、装置に原稿の読取を開始させるための操作キーが操作された場合、マクロ登録の実行中ではない場合は、「原稿をセットしてください」というようなユーザに対する指示メッセージが表示手段に表示され、セットされた原稿の読み取りが実行されるが、マクロ登録の実行中である場合は、前記指示メッセージは表示されず、原稿の読み取りは実行されない。
【００１２】
第２発明にあっては、マクロ登録の実行中である場合、原稿がないことを検出したときでも、表示手段は原稿がないことを報知するメッセージを表示しない。一方、マクロ登録の実行中ではない場合は、原稿がないことを検出したとき、表示手段は原稿がないことを報知するメッセージを表示する。
【００１３】
第３発明にあっては、外部のファクシミリ（インターネットファクシミリ）のような通信装置への画像情報の送信、若しくは外部のパーソナルコンピュータのような画像処理装置への画像情報の送信を行ない、及び／又は記録用紙、ＯＨＰシート等の記録媒体に対する画像の形成を行なう。
【発明の効果】
【００１４】
第１発明の電気機器による場合、特定の操作キーに対応して、複数の操作キーの操作順を登録する場合、マクロ登録時には実行しない動作に係るメッセージを表示しないため、不要なメッセージの表示を防止してユーザの利便性を向上させることができる。この結果、不要なメッセージを読んだユーザが操作に戸惑うことを防止することができ、ユーザの利便性を向上させることができる。
【００１５】
第２発明の電気機器による場合、特定の操作キーに対応して、原稿の読み取りに関する操作キーの操作を登録する場合、原稿が装置にセットされているか否かを検出するが、マクロ登録時には原稿の読み取りを行なわないため、原稿がセットされていないことを検出したときでも、原稿がないことをユーザに報知するエラーメッセージは不要であり、このため前記エラーメッセージを表示しない。この結果、不要なエラーメッセージを読んだユーザが操作に戸惑うこと、及び、誤って原稿を準備すること等を防止することができ、ユーザの利便性を向上させることができる。
【００１６】
一方、マクロ登録時ではない場合、原稿の読み取りに関する操作キーが操作されたとき、又は該操作キーの操作が登録された特定の操作キーが操作されたとき、原稿が装置にセットされているか否かを検出し、原稿がセットされていないことを検出した場合、原稿がないことをユーザに報知するエラーメッセージを表示する。ユーザは表示されたエラーメッセージを読んで装置に原稿をセットし、原稿の読み取りを行なわせる。つまり、必要なエラーメッセージを読んだユーザが必要な操作、作業等を実行することができ、ユーザの利便性を向上させることができる。
【００１７】
第３発明の電気機器による場合、原稿を読み取ってなる画像情報を送信するファクシミリ、インターネットファクシミリ、又はスキャナとして構成することができる。及び／又は原稿を読み取ってなる画像情報に基づく画像を記録媒体に形成するコピー機として構成することができる。あるいはこれらの複合機として構成することができる。
【発明を実施するための最良の形態】
【００１８】
以下、本発明を、その実施の形態を示す図面に基づいて詳述する。
【００１９】
図１は、本発明に係る電気機器としてのＭＦＰ１の構成を示すブロック図である。ＭＦＰ１は、スキャナ機能、プリンタ機能、コピー機能、ファクシミリ（ＦＡＸ）機能等、複数の機能を有するデジタル複合機（Multi Functional Peripheral ）である。以下では、ＭＦＰ１のＦＡＸ機能について主に説明する。
【００２０】
ＭＦＰ１は、ＮＣＵ（ネットワーク・コントロール・ユニット）１６を介して電話回線Ｐに接続されている。ＭＦＰ１、及び電話回線Ｐに接続された外部のＦＡＸ装置（図示せず）には、夫々固有のＦＡＸ番号が付与されており、ＭＦＰ１及び外部のＦＡＸ装置は、ＩＴＵ−Ｔ勧告Ｔ．３０の標準通信規格の手順に従って作動し、所定のプロトコルに従って、ＦＡＸ通信用の画像情報（以下、ＦＡＸ画像という）を送受信するよう夫々構成されている。
【００２１】
ＭＦＰ１は、ＣＰＵ１０、ＲＯＭ１１、ＲＡＭ１２、及びＥＥＰＲＯＭ１３を備え、ＣＰＵ１０は、ＲＡＭ１２を作業領域として用い、ＲＯＭ１１に記憶された制御プログラム及びデータとＥＥＰＲＯＭ１３に記憶されたデータに従って装置各部を制御し、各種処理を実行する。
【００２２】
ＭＦＰ１の表示部１５は液晶パネルを用いてなり、操作部３は、ハードキー及び表示部１５に重ねて配置してあるタッチパネル上にＣＰＵ１０によって設けられるソフトキーを用いてなる各種操作キーを備える。これらの操作キーは、作動開始を受け付けるスタートキー３０、ＦＡＸ番号、数値等の入力を受け付けるテンキー３１，３１，…、解像度、拡大／縮小等を受け付ける設定キー３２，３２，…、複数の操作キーの操作順の登録（マクロ登録）を受け付ける登録キー３３、複数の操作キーの操作順を登録する特定の操作キー（特定キー）３４，３４，…等である。
【００２３】
表示部１５は、ＣＰＵ１０に制御されて、例えばＭＦＰ１の動作状態を示すメッセージ、ユーザに対する入力指示を示すメッセージ、エラーを報知するエラーメッセージ、操作部３に設けられたソフトキーの位置を示す画像等を表示し、ＭＦＰ１のユーザは、表示部１５を見ながら操作部３の各種操作キーを操作する。
【００２４】
ＥＥＰＲＯＭ１３の記憶領域の一部は登録部１４であり、登録部１４には、特定キー３４，３４，…夫々に関連付けて、複数の操作キーの操作順が登録される。
【００２５】
ＭＦＰ１の読取部１８は、読取部１８の画像読取位置にセットされた原稿、又は読取部１８が備える図示しない原稿搬送装置が画像読取位置へ搬送した原稿を光学的に読み取って画像情報（以下、通常画像という）となす。更にＭＦＰ１は、ＤＲＡＭを用いてなり、通常画像及び／又はＦＡＸ画像を記憶する画像メモリ２１を備える。読取部１８には、読取部１８に原稿がセットされているか否かを検出する原稿センサ１９が備えてあり、原稿の有無に応じた検出信号をＣＰＵ１０へ出力する。
【００２６】
更にまた、ＭＦＰ１は、所定の符号化方式で通常画像の符号化とＦＡＸ画像の復号とを行なうＣＯＤＥＣ（符号化・復号器）２０、電話回線Ｐの回線制御を行なうＮＣＵ１６、及び、電話回線Ｐを介して、図示しないＦＡＸ装置との間でＦＡＸ画像を送受信するモデム１７を備える。ＭＦＰ１の記録部２２は、電子写真方式のプリンタ装置及びプリンタ装置へ用紙を供給する給紙装置で構成されており、画像メモリ２１に記憶された通常画像に基づいて記録用紙に画像を形成する。
【００２７】
ＭＦＰ１は、スキャナとして機能する場合、読取部１８で読み取ってなる通常画像を画像メモリ２１に記憶させ、画像メモリ２１に記憶された通常画像を読み出して、図示しない通信ケーブルを介して、外部の画像処理装置へ送信する。
【００２８】
ＭＦＰ１は、コピー機として機能する場合、読取部１８で読み取ってなる通常画像を画像メモリ２１に記憶させ、画像メモリ２１に記憶された通常画像を読み出して記録部２２に入力し、記録用紙に画像を形成する。
【００２９】
以下では、ＦＡＸ通信機能に関するマクロ登録処理を説明するが、コピー機能、スキャナ機能等に関するマクロ登録処理も略同様である。
【００３０】
図２及び図３は、ＣＰＵ１０が実行するマクロ登録処理の手順を示すフローチャートである。このマクロ登録処理は、例えば操作部３の所定の操作キー（ＦＡＸ送信モードへの変更を受け付ける操作キー）が操作された場合に実行される。
【００３１】
ＣＰＵ１０は、フラグＦを“０”にリセットする（Ｓ１１）。次に、登録キー３３が操作されたか否かを判定し（Ｓ１２）、操作された場合（Ｓ１２でＹＥＳ）、フラグＦに“１”をセットし（Ｓ１３）、特定キー３４，３４，…の内、何れか一つの特定キー３４の選択を受け付ける（Ｓ１４）。この場合、ＣＰＵ１０は、特定キー３４，３４，…のマクロ登録の登録状況を登録部１４から読み出して、読み出した登録状況を表示部１５に表示させる。ユーザは表示部１５に表示された登録状況を参照しながら所望の特定キー３４を選択して操作する。ここで、フラグＦは、マクロ登録を実行中であるか否かを示すフラグである。
【００３２】
Ｓ１４の処理完了後、又は、登録キー３３が操作されていない場合（Ｓ１２でＮＯ）、ＣＰＵ１０は、テンキー３１，３１，…が操作されたか否かを判定し（Ｓ１５）、操作された場合（Ｓ１５でＹＥＳ）、操作内容を受け付けてＲＡＭ１２に記憶させる（Ｓ１６）。この場合、ユーザは、テンキー３１，３１，…を用いて例えばＦＡＸ番号を入力し、入力されたＦＡＸ番号が操作内容としてＲＡＭ１２に記憶される。
【００３３】
Ｓ１６の処理完了後、又は、テンキー３１，３１，…が操作されていない場合（Ｓ１５でＮＯ）、ＣＰＵ１０は、設定キー３２，３２，…が操作されたか否かを判定し（Ｓ１７）、操作された場合（Ｓ１７でＹＥＳ）、操作内容を受け付けてＲＡＭ１２に記憶させる（Ｓ１８）。この場合、ユーザは、設定キー３２，３２，…を用いて、例えばワンタッチダイヤルキーである設定キー３２に対応して予め登録してあるＦＡＸ番号を入力し、入力されたＦＡＸ番号が操作内容としてＲＡＭ１２に記憶される。
【００３４】
Ｓ１８の処理完了後、又は、設定キー３２，３２，…が操作されていない場合（Ｓ１７でＮＯ）、ＣＰＵ１０は、スタートキー３０が操作されたか否かを判定し（Ｓ１９）、操作されていない場合（Ｓ１９でＮＯ）、フラグＦ＝１であるか否かを判定し（Ｓ２０）、フラグＦ＝１である場合（Ｓ２０でＹＥＳ）、処理をＳ１５へ戻し、フラグＦ＝０である場合（Ｓ２０でＮＯ）、処理をＳ１１へ戻す。
【００３５】
スタートキー３０が操作された場合（Ｓ１９でＹＥＳ）、ＣＰＵ１０は、操作内容としてＦＡＸ番号が入力されているか否かを判定する（Ｓ３１）。この場合、ＣＰＵ１０は、例えばＳ１６の処理が繰り返されることによって表示部１５に設けた所定のテキストボックスに所定個数の数値が入力された場合か、又はＳ１８の処理によって、予めＦＡＸ番号が登録されているワンタッチダイヤルキーが操作された場合に、ＦＡＸ番号が入力されたと判定する。
【００３６】
ＦＡＸ番号が入力されている場合（Ｓ３１でＹＥＳ）、ＣＰＵ１０は、原稿センサ１９から入力される検出信号に基づいて、ＭＦＰ１に原稿がセットされているか否かを判定する（Ｓ３２）。
【００３７】
ＭＦＰ１に原稿がセットされていない場合（Ｓ３２でＮＯ）、ＣＰＵ１０は、フラグＦ＝１であるか否かを判定する（Ｓ３３）。フラグＦ＝０である場合（Ｓ３３でＮＯ）、即ちマクロ登録実行中ではなくユーザがＦＡＸ送信を所望している場合、ＣＰＵ１０は表示部１５に、原稿がセットされていないことをユーザに報知するエラーメッセージを表示させる（Ｓ３４）。Ｓ３４の処理完了後、ＣＰＵ１０は処理をＳ１５へ戻す。
【００３８】
フラグＦ＝１である場合（Ｓ３３でＹＥＳ）、即ちマクロ登録実行中である場合、ＣＰＵ１０は、Ｓ１６及び／又はＳ１８で受け付けた処理内容を各操作キーの操作順に登録部１４に登録する（Ｓ３５）。この際、Ｓ３４の処理は実行されないため、原稿がセットされていないことをユーザに報知するエラーメッセージは表示部１５に表示されない。Ｓ３５の処理完了後、ＣＰＵ１０は処理をＳ１１へ戻す。
【００３９】
ＭＦＰ１に原稿がセットされている場合（Ｓ３２でＹＥＳ）、ＣＰＵ１０は、読取部１８に原稿を読み取らせて（Ｓ３６）、読み取ってなる通常画像をＣＯＤＥＣ２０に入力させて符号化してなるＦＡＸ画像に変換し、変換されたＦＡＸ画像を画像メモリ２１に記憶させ、画像メモリ２１に記憶されたＦＡＸ画像を読み出して、ＮＣＵ１６及びモデム１７を用いて、外部のＦＡＸ装置へ送出する（Ｓ３７）。Ｓ３７の処理完了後、ＣＰＵ１０は処理をＳ１１へ戻す。Ｓ３６及びＳ３７にて、ＣＰＵ１０は、Ｓ１８で受け付けた解像度、拡大／縮小倍率等、又はデフォルトの解像度、拡大／縮小倍率等に基づいて原稿の読み取り及びＦＡＸ送信を行なう。
【００４０】
ＦＡＸ番号が入力されていない場合（Ｓ３１でＮＯ）、ＣＰＵ１０は表示部１５に、ＦＡＸ番号が入力されていないことをユーザに報知するエラーメッセージを表示させ（Ｓ３８）、処理をＳ１５へ戻す。
【００４１】
以上のようなマクロ登録処理において、Ｓ３４とＳ３８とにおけるＣＰＵ１０及び表示部１５は、複数のメッセージ夫々を表示する表示手段として機能する。また、ＭＦＰ１は、特定の操作キーに対応して、複数の操作キーの操作順を登録する電気機器として機能する。
【００４２】
また、Ｓ３２でＮＯの場合、かつＳ３３でＹＥＳの場合、Ｓ３４の処理を実行せずにＳ３５の処理を実行することによって、前記操作順の登録操作の実行中である場合、前記表示手段は所定のメッセージを表示しないようにしてある。
【００４３】
また、Ｓ３６におけるＣＰＵ１０及び読取部１８は、原稿を読み取る読取手段として機能し、Ｓ３２におけるＣＰＵ１０及び原稿センサ１９は、前記読取手段が読み取るべき原稿の有無を検出する検出手段として機能する。
【００４４】
更に、前記検出手段が、原稿がないことを検出した場合（即ちＳ３２でＮＯの場合）、前記操作順の登録操作の実行中ではないとき（即ちＳ３３でＮＯのとき）、Ｓ３４にて前記表示手段は原稿がないことを報知するメッセージを表示するようにしてあり、前記操作順の登録操作の実行中であるとき（即ちＳ３３でＹＥＳのとき）、前記表示手段は前記メッセージを表示しないようにしてある。
【００４５】
更にまた、Ｓ３７におけるＣＰＵ１０、ＮＣＵ１６及びモデム１７は、原稿を読み取ってなる画像情報を送信する送信手段として機能する。また、ＣＰＵ１０及び記録部２２は、原稿を読み取ってなる画像情報に基づく画像を記録媒体に形成する形成手段として機能する。
【００４６】
以上のようなＭＦＰ１は、マクロ登録時には原稿の読み取りを行なわないため、原稿がセットされていないことをユーザに報知する不要なエラーメッセージを表示しない。このため、エラーメッセージを読んだユーザが操作に戸惑い、又は、誤って原稿を準備することが防止されている。また、フラグＦを用いてマクロ登録を行なうか行なわないかを判定し、判定結果に応じてエラーメッセージの表示を行なう（又は行なわない）。このため、マクロ登録を行なう場合のプログラムと行なわない場合のプログラムとを個別にＲＯＭ１１にインストールしておく必要がなく、ＲＯＭ１１の記憶容量を節約することができる。
【図面の簡単な説明】
【００４７】
【図１】本発明に係る電気機器としてのＭＦＰの構成を示すブロック図である。
【図２】本発明に係るＭＦＰのＣＰＵが実行するマクロ登録処理の手順を示すフローチャートである。
【図３】本発明に係るＭＦＰのＣＰＵが実行するマクロ登録処理の手順を示すフローチャートである。
【符号の説明】
【００４８】
１    ＭＦＰ（電気機器）
１５  表示部（表示手段）
１６  ＮＣＵ（送信手段）
１７  モデム（送信手段）
１８  読取部（読取手段）
１９  原稿センサ（検出手段）
２２  記録部（形成手段）
３０  スタートキー（操作キー）
３１  テンキー（操作キー）
３２  設定キー（操作キー）
３３  登録キー（操作キー）
３４  特定キー（特定の操作キー）
【図１】
2007060048.tif 000003
【図２】
2007060048.tif 000004
【図３】
2007060048.tif 000005